(57)【要約】　　　（修正有）【課題】アイライナーコートを塗ってもリキッドアイライナーが滲まないようにするリキッドアイライナーの滲み防止方法及び滲み防止具を提供する。【解決手段】リキッドアイライナーを塗った上に、アイラインにコート用パウダー１２を載せ、その上からアイライナーコート１６を塗ることで、リキッドアイライナーの上からアイライナーコートを直接塗る際に発生していた従来のリキッドアイライナーの滲みを防止することができる。リキッドアイライナーの滲み防止具は、コート用パウダー１２を収容するパウダー用容器１４とアイライナーコート１６を収容するコート用容器１８との２個の容器を１個のキャップ２０で連結する。これによって、１つの道具で、リキッドアイライナーの滲みを防止するコート用パウダー１２と、リキッドアイライナーの落ちを防止するアイライナーコート１６とを保持することができる。【選択図】　　　図２
2004141392.tif 000002
【特許請求の範囲】
【請求項１】
リキッドアイライナーを塗った上に、コート用パウダーを載せ、その上からアイライナーコートを塗ることを特徴とするリキッドアイライナーの滲み防止方法。
【請求項２】
コート用パウダーを内部に収容するためのパウダー用容器と、アイライナーコートを内部に収容するためのコート用容器と、前記パウダー用容器と前記コート用容器との両方を開閉するためのキャップと、前記キャップに取付けられるものであってそのキャップで前記パウダー用容器を閉じた際にそのパウダー用容器内に収容されるコート用パウダー付着手段と、前記キャップに取付けられるものであってそのキャップで前記コート用容器を閉じた際にそのコート用容器内に収容されるアイライナーコート付着手段とを有することを特徴とするリキッドアイライナーの滲み防止具。
【請求項３】
前記キャップに第一支持軸を固定し、その第一支持軸に前記コート用パウダー付着手段を取付けたことを特徴とする請求項２記載のリキッドアイライナーの滲み防止具。
【請求項４】
前記キャップに第二支持軸を固定し、その第二支持軸に前記アイライナーコート付着手段を取付けたことを特徴とする請求項２記載のリキッドアイライナーの滲み防止具。
【発明の詳細な説明】
【０００１】
【発明の属する技術分野】
本発明は、リキッドアイライナーの滲みを防止するための滲み防止方法及びその滲み防止具に関するものである。
【０００２】
【従来の技術】
アイラインを描くためのアイライナーには、ペンシル状のものと液体状のもの（リキッドアイライナー）とがある。液体状のリキッドアイライナーは汗や水や涙等によって落ちてしまうため、リキッドアイライナーを使用する場合には、リキッドアイライナーの上からアイライナーコートを塗り、そのアイライナーコートによって、汗や水や涙等によるリキッドアイライナーの落ちを防止している。
【０００３】
アイライナーコートを塗る従来の道具として、図３に示すアイライナーコート用道具が知られている。アイライナーコート用道具４０は、液体のアイライナーコート４２を収容した容器４４と、容器４４の開口部を開閉するための一端閉鎖の筒状のキャップ４６と、キャップ４６の中心軸方向に取付けられる刷毛４８並びにその軸５０とからなる。容器４４の開口部外周には雄螺子５２が形成され、キャップ４６の筒状の内壁には雌螺子５４が形成され、雄螺子５２と雌螺子５４とを螺合することによって、容器４４の開口部はキャップ４６によって閉じられる。アイライナーコート４２は液体を遮断するためのものであり、リキッドアイライナーの上からアイライナーコートを塗ることで、リキッドアイライナーは外部からの汗や水や涙等から保護され、リキッドアイライナーの落ちを防止する。
【０００４】
図３に示したアイライナーコート用道具は、以前から公知のものである。図３のアイライナーコート用道具を示す特許文献を探したが、図３より適切な特許文献を見出すことはできなかったので、特許文献の提示を省略する。
【０００５】
【発明が解決しようとする課題】
リキッドアイライナーもアイライナーコートも元来は液体であり、それらを乾燥指せるものである。リキッドアイライナーを塗ってそれを乾燥させた後で、アイライナーコートを塗っているが、リキッドアイライナーの上からアイライナーコートを塗った場合に、リキッドアイライナーが滲んでしまい、綺麗なアイラインを保つことができないという不具合があった。
【０００６】
本発明は、アイライナーコートを塗ってもリキッドアイライナーが滲まないようにするリキッドアイライナーの滲み防止方法及び滲み防止具を提供することを目的とする。
【０００７】
【課題を解決するための手段】
本発明に係るリキッドアイライナーの滲み防止方法は、リキッドアイライナーを塗った上に、コート用パウダーを載せ、その上からアイライナーコートを塗るようにしたものである。
【０００８】
本発明に係るリキッドアイライナーの滲み防止具は、コート用パウダーを内部に収容するためのパウダー用容器と、アイライナーコートを内部に収容するためのコート用容器と、前記パウダー用容器と前記コート用容器との両方を開閉するためのキャップと、前記キャップに取付けられるものであってそのキャップで前記パウダー用容器を閉じた際にそのパウダー用容器内に収容されるコート用パウダー付着手段と、前記キャップに取付けられるものであってそのキャップで前記コート用容器を閉じた際にそのコート用容器内に収容されるアイライナーコート付着手段とを有するものである。
【０００９】
【作用】
リキッドアイライナーを塗って描いたアイラインの上にコート用パウダーを載せ、その上からアイライナーコートを塗る。このように、液体を基本とするリキッドアイライナーと液体を基本とするアイライナーコートとの間にコート用パウダーを介在させることで、アイライナーコートを塗ってもリキッドアイライナーが滲むことが無くなる。
リキッドアイライナーの滲み防止具は、１個のキャップでコート用パウダー用容器とアイライナーコート用容器とを開閉すると共に、それらの２個の容器を１個のキャップに取付けて１個の道具とすることができるものである。この１個の道具を使用して、リキッドアイライナーの滲みを防止すると共にリキッドアイライナーの落ちを防止する。
【００１０】
【発明の実施の形態】
次に、本発明を図面に基づいて説明する。
図１は本発明に係るリキッドアイライナーの滲み防止具の組立断面図、図２は図１の分解断面図である。本発明に係るリキッドアイライナーの滲み防止具１０は、コート用パウダー１２を収容したパウダー用容器１４と、液体のアイライナーコート１６を収容したコート用容器１８と、パウダー用容器１４とコート用容器１８との両方の開口部を開閉するためのキャップ２０とを有する。このキャップ２０は筒状を基本形状とし、その筒状の空間の中央部を隔壁２２で区画した形状をしている。隔壁２２の一方側の軸中心に第一支持軸２４が固定され、その第一支持軸２４の先端にコート用パウダー付着手段としてのコート用パウダー用チップ２６が取付けられる。隔壁２２の他方側の軸中心に第二支持軸２８が固定され、その第二支持軸２８の先端にアイライナーコート付着手段としてのアイライナーコート用刷毛３０が取付けられる。
【００１１】
キャップ２０における第一支持軸２４側の筒状の内側に第一雌螺子３２が形成され、キャップ２０における第二支持軸２８側の筒状の内側に第二雌螺子３４が形成される。パウダー用容器１４の開口部外周には、キャップ２０の第一雌螺子３２と螺合する雄螺子３６が形成される。コート用容器１８の開口部外周には、キャップ２０の第二雌螺子３４と螺合する雄螺子３８が形成される。なお、キャップ２０とパウダー用容器１４との開閉手段やキャップ２０とコート用容器１８との開閉手段は、雌螺子と雄螺子とに限るものではない。
【００１２】
キャップ２０の第一雌螺子３２とパウダー用容器１４の雄螺子３６とを螺合させて、パウダー用容器１４の開口部をキャップ２０で閉鎖した状態では、キャップ２０に取付けられたコート用パウダー用チップ２６とその第一支持軸２４は、パウダー用容器１４の内部に収容される（図１）。キャップ２０の第二雌螺子３４とコート用容器１８の雄螺子３８とを螺合させて、コート用容器１８の開口部をキャップ２０で閉鎖した状態では、キャップ２０に取付けらたアイライナーコート用刷毛３０とその第二支持軸２８は、コート用容器１８の内部に収容される（図１）。
【００１３】
前記コート用パウダー１２としては、粉おしろいやベビーパウダーやボディパウダー等の化粧用パウダーであることが望ましいが、人体に悪影響を及ぼさないパウダーであれば、どのようなものであっても良い。液体のアイライナーコート１６を収容するためのコート用容器１８は透明か半透明とするのが望ましい。コート用パウダー用チップ２６を第一支持軸２４に取付けることで、コート用パウダー用チップ２６をパウダー用容器１４の底付近まで届かせることができる。アイライナーコート用刷毛３０を第二支持軸２８に取付けることで、アイライナーコート用刷毛３０をコート用容器１８の底付近まで届かせることができる。
【００１４】
次に、本発明に係るリキッドアイライナーの滲み防止具１０を使用してリキッドアイライナーの滲みを防止する方法について説明する。目の周りの所定位置にリキッドアイライナーを塗った後、リキッドアイライナーの滲み防止具１０のキャップ２０を回してパウダー用容器１４を開ける。キャップ２０に取付けられているコート用パウダー用チップ２６をパウダー用容器１４から取り出すと、コート用パウダー用チップ２６にはコート用パウダー１２が充分付着している。このコート用パウダー用チップ２６を使用して、目の周りのリキッドアイライナーを塗った箇所の上にコート用パウダーを載せる。
【００１５】
コート用パウダーを載せて１０秒位してから、キャップ２０を回してコート用容器１８を開け、キャップ２０に取付けられているアイライナーコート用刷毛３０をコート用容器１８から取り出す。コート用容器１８には液状のアイライナーコート１６が収容されているので、コート用容器１８から取り出されたアイライナーコート用刷毛３０には液状のアイライナーコート１６が充分付着している。アイライナーコート１６が充分付着したアイライナーコート用刷毛３０で、コート用パウダー１２を載せた上からアイライナーコート１６を塗布する。アイライナーコート１６を塗布して１５〜２０秒程度経過するとアイライナーコート１６が乾燥する。アイライナーコートが乾燥した後は、乾燥したアイライナーコートによって、リキッドアイライナーとコート用パウダー１２とが外部と遮断される。
【００１６】
従来は液体を基本とするリキッドアイライナーの上に液体を基本とするアイライナーコートを直接塗ったので、リキッドアイライナーに滲みが発生した。これに対して本発明では、リキッドアイライナーとアイライナーコートの間にコート用パウダーを介在させるので、アイライナーコートを塗ってもリキッドアイライナーが滲まないようになる。
【００１７】
【発明の効果】
以上説明したように、本発明に係るリキッドアイライナーの滲み防止方法によれば、リキッドアイライナーの上にコート用パウダーを載せ、その後アイライナーコートを塗ることで、リキッドアイライナーが滲むことを防止することができる。
【００１８】
本発明に係るリキッドアイライナーの滲み防止具は、１つの道具として、アイライナーコートを収容するコート用容器とコート用パウダーを収容するパウダー用容器との２個の容器を１個のキャップを介して連結して１個の道具とするもので、１個の道具で、リキッドアイライナーの滲みを防止するコート用パウダーと、リキッドアイライナーの落ちを防止するアイライナーコートとを保持することができる。
【図面の簡単な説明】
【図１】本発明に係るリキッドアイライナーの滲み防止具の組立断面図である。
【図２】図１の分解断面図である。
【図３】従来のアイライナーコートの落ち防止具の断面図である。
【符号の説明】
１０　リキッドアイライナーの滲み防止具
１２　コート用パウダー
１４　パウダー用容器
１６　アイライナーコート
１８　コート用容器
２０　キャップ
２４　第一支持軸
２６　コート用パウダー用チップ
２８　第二支持軸
３０　アイライナーコート用刷毛
【図１】
2004141392.tif 000003
【図２】
2004141392.tif 000004
【図３】
2004141392.tif 000005